(57)【要約】【課題】スプール穴部５や弁体７に極力近い油路４のポート口部６にフィルタ１６を設け、油路４からのコンタミがスプール穴部５や弁体７部分に浸入することを防止する。【解決手段】溝部１５は、スプール穴部５を構成する上部ボディ２の壁面の周方向に沿って設けられる。ポート口部６は、溝部１５内に開口し、油路４と繋がる。円弧形状の帯状のフィルタ１６は溝部１５内に収容され、溝部１５内に位置するポート口部６を塞ぐ。【選択図】図１
2018054009.tif 000002
【特許請求の範囲】
【請求項１】
下部ボディと前記下部ボディの上部に重ねられた上部ボディとを備え、前記上部ボディの内部に油路と、前記油路に繋がる円柱状のスプール穴部を設けたコントロールバルブボディと、
前記スプール穴部内に、その軸方向に移動可能に配置された円柱状の弁体と、
前記コントロールバルブボディに取り付けられ、前記弁体に接触し、前記弁体を移動させるソレノイドと、
を備えたコントロールバルブ装置において、
前記スプール穴部を構成する上部ボディの壁面の周方向に沿って設けられた溝部と、
前記溝部内に開口し、前記油路と繋がったポート口部と、
前記溝部内に収容され、前記溝部内に位置する前記ポート口部を塞ぐ、円弧形状の帯状のフィルタと、
を備えるコントロールバルブ装置。
【請求項２】
前記フィルタは弾性材料から構成され、前記フィルタの円弧形状の内周側に向かって弾性変形した状態で前記溝部に収容され、且つ、溝部に収容された状態において円弧形状が１８０°を超え、
前記フィルタの円弧形状の外周面側が前記溝部の底壁部に弾性変形に基づく戻り力で接触している請求項１に記載のコントロールバルブ装置。
【請求項３】
前記溝部の壁部または底壁部に凹所を備え、
前記フィルタは、前記溝部の壁部または底壁部に向かって突出した凸部を備え、前記凸部が前記凹所に嵌め込まれた請求項１または請求項２に記載のコントロールバルブ装置。
【請求項４】
前記溝部の底壁部に、前記スプール穴部の径方向内側に突出した凸部を備え、
前記凸部が前記フィルタに引っ掛かっている請求項１または請求項２に記載のコントロールバルブ装置。
【請求項５】
前記溝部の深さ寸法が前記フィルタの肉厚寸法よりも大きく、前記フィルタの内周面の位置が前記スプール穴部の内周面の位置より径方向外側である請求項１から請求項４のいずれかに記載のコントロールバルブ装置。
【請求項６】
前記フィルタの円弧形状の両端部に挟まれて開いている部分が、前記スプール穴部の内周面における前記上部ボディの上面側に配置された請求項５に記載のコントロールバルブ装置。
【発明の詳細な説明】
【技術分野】
【０００１】
本発明は、例えば、車両の自動変速機に使用されるコントロールバルブ装置に関する。
【背景技術】
【０００２】
車両の自動変速機には、変速機構を制御するためのコントロールバルブが設けられている。このコントロールバルブは、コントロールバルブ装置を使用して変速機構に対して所定の大きさの油圧を供給・停止することにより、変速機構を制御する。
【０００３】
このようなコントロールバルブ装置は、例えば、特許文献１に記載されている。特許文献１のコントロールバルブ装置は、油路が設けられたバルブボディ内部に円柱状のスプール穴部を設け、スプール穴部に円柱状の弁体を移動可能に組み込む。弁体はバルブボディ外部のソレノイドに押されて移動し、スプール穴部に開口している油路のポート口を開閉する。
【先行技術文献】
【特許文献】
【０００４】
【特許文献１】特開２０１４−２３４８３１号公報
【発明の概要】
【発明が解決しようとする課題】
【０００５】
この種のコントロールバルブ装置には、バルブボディ内部に存在する異物が弁体に達することを防止するためフィルタが設けられる。一般に異物はコンタミと呼ばれ、バルブボディ内部に油路やポート口部を切削加工で形成する場合に発生する。また、自動変速機や配油管など、コントロールバルブ装置と接続される他の装置からも油路内に入り込み、スプール穴部や弁体に達することがある。
【０００６】
特許文献１などに記載のように、従来技術において、この種のフィルタは、フィルタの取り付けがバルブボディの外部から簡単に行えることから、バルブボディの外壁面に位置する油路の開口部設けられることが一般的である。しかし、バルブボディの外壁面と弁体が存在するスプール穴部との間には一定長の油路があることから、その油路内に存在するコンタミ、特に、バルブボディ内部に油路を形成する際に発生した切削くずなどのコンタミが残存していると、バルブボディ外壁面に設けたフィルタでは弁体部分への浸入を阻止できなかった。
【０００７】
このことは、バルブボディが上部ボディと下部ボディから構成されている場合に、両ボディの間にフィルタを挟み込んで配置した場合も同様で、フィルタから上部ボディのスプール穴部を繋ぐ油路部分に存在するコンタミが、弁体やスプール穴部に浸入することを防止できなかった。
【０００８】
本発明は、スプール穴部や弁体に極力近い油路のポート口部にフィルタを設けて、油路からのコンタミがスプール穴部や弁体部分に浸入することを防止したコントロールバルブ装置を提供することを目的とする。
【課題を解決するための手段】
【０００９】
本発明のコントロールバルブ装置は、次のような構成を有することを特徴とする。
（１）下部ボディと前記下部ボディの上部に重ねられた上部ボディとを備え、前記上部ボディの内部に油路と、前記油路に繋がる円柱状のスプール穴部を設けたコントロールバルブボディ。
（２）前記スプール穴部内に、その軸方向に移動可能に配置された円柱状の弁体。
（３）前記コントロールバルブボディに取り付けられ、前記弁体に接触し、前記弁体を移動させるソレノイド。
（４）前記スプール穴部を構成する上部ボディの壁面の周方向に沿って設けられた溝部。（５）前記溝部内に開口し、前記油路と繋がったポート口部。
（６）前記溝部内に収容され、前記溝部内に位置する前記ポート口部を塞ぐ、円弧形状の帯状のフィルタ。
【００１０】
本発明において、以下の構成とすると良い。
（１）前記フィルタは、弾性材料から構成され、前記フィルタの円弧形状の内周側に向かって弾性変形した状態で前記溝部に収容され、前記溝部に収容されている状態において円弧形状が１８０°を越え、前記フィルタの円弧形状の外周面側が前記溝部の底壁部に弾性変形に基づく戻り力で接触している。
（２）前記溝部の壁部または底壁部に凹所を備え、前記フィルタは、前記溝部の壁部または底壁部に向かって突出した凸部を備え、前記凸部が前記凹所に嵌め込まれる。
（３）前記溝部の底壁部に、前記スプール穴部の径方向内側に突出した凸部を備え、前記凸部が前記フィルタに引っ掛かっている。
（４）前記溝部の深さ寸法が前記フィルタの肉厚寸法よりも大きく、前記フィルタの内周面の位置が前記スプール穴部の内周面の位置より径方向外側である。
（５）前記フィルタの円弧形状の両端部に挟まれて開いている部分が、前記スプール穴部の内周面における前記上部ボディの上面側に配置される。
【発明の効果】
【００１１】
本発明によれば、フィルタがスプール穴部に開口したポート口部に設けられているので、バルブボディの油路やバルブボディに接続された他の装置からのコンタミがスプール穴部に最も近い位置で捕捉される。その結果、バルブボディの製造時などにおいて、油路内部にたとえコンタミが残存しても、スプール穴部や弁体部分に浸入することがなく、弁体の損傷や動作不良を解消できる。
【図面の簡単な説明】
【００１２】
【図１】図１は、第１実施形態のコントロールバルブ装置の横断面図である。
【図２】図２は、第１実施形態のフィルタ部分の縦断面図である。
【図３】図３は、第１実施形態のフィルタ部分の横断面図である。
【図４】図４は、第２実施形態のフィルタ部分の縦断面図である。
【図５】図５は、第３実施形態の回り止め部分の拡大縦断面図である。
【図６】図６は、第４実施形態の回り止め部分の拡大縦断面図である。
【発明を実施するための形態】
【００１３】
以下、本発明の実施形態について説明する。実施形態において軸とは、スプール穴部の長手方向に沿った中心軸をいい、単に周方向あるいは軸方向と言った場合は、中心軸の周方向あるいは中心軸の軸方向を示す。軸方向一端側が図中左方を、軸方向他端側が図中右方を示す。上下とは、上部ボディと下部ボディの重ね合わせる方向を基準とした位置関係を示し、本発明の装置を使用する際の取付け方向を限定するものではない。
【００１４】
［１．第１実施形態］
［１−１．構成］
【００１５】
本実施形態のコントロールバルブ装置は、下部ボディ１と、下部ボディ１の上部に重ねられた上部ボディ２とを備える。下部ボディ１と上部ボディ２は、セパレートプレート３と呼ばれる薄い金属板を挟んで、図示しないボルト締めなどの手段で固定される。
【００１６】
下部ボディ１と上部ボディ２の内部に互いに繋がった複数の油路４が設けられ、上部ボディ２内部には、これらの油路４に繋がる円柱状のスプール穴部５が設けられる。
【００１７】
スプール穴部５は、図中左右方向に延びるように上部ボディ２内部に穿孔され、その軸方向一端側が上部ボディ２の左側の側面に開口する。上部ボディ２に設けられた油路４の中で、スプール穴部５に繋がる油路４は上下方向に延び、上部ボディ２の下面からスプール穴部５を形成する内壁面に向かって上部ボディ２を貫通する。スプール穴部５を形成する内壁面に設けられた開口部が、本実施形態のポート口部６である。
【００１８】
スプール穴部５内には、円柱状の弁体７がその軸方向に移動可能に配置される。弁体７の外周面には、ポート口部６を繋ぐ凹部８と、ポート口部６を塞ぐ凸部９が設けられ、弁体７が図中左右に移動することで、凸部９がポート口部６を開閉する。弁体７の軸方向一端側には凹部１０が設けられ、この凹部１０内にコイルばね１１が嵌め込まれている。コイルばね１１の軸方向一端は凹部１０から突出している。スプール穴部５の軸方向一端はバルブボディの軸方向一端側の側面に開口し、この開口部がキャップ１２により塞がれる。コイルばね１１の軸方向一端はこのキャップ１２に接しており、コイルばね１１はキャップ１２と凹部１０との間に圧縮状態で組み込まれる。その結果、弁体７は、コイルばね１１により軸方向他端側に押し付けられる。
【００１９】
スプール穴部５の軸方向他端側には、弁体７を移動させるソレノイド１３が設けられる。ソレノイド１３は、バルブボディの軸方向他端側の側壁に固定される。ソレノイド１３のプッシュロッド１４は、スプール穴部５の軸方向他端側に設けられた貫通穴を通ってスプール穴部５内に挿入される。プッシュロッド１４の軸方向一端は、弁体７の軸方向他端に接触し、コイルばね１１の押圧力に逆らって弁体７を押圧する。
【００２０】
スプール穴部５を構成する上部ボディ２の壁面には、周方向に沿って溝部１５が設けられる。溝部１５内には、油路４と繋がったポート口部６が開口する。溝部１５内には、ポート口部６を塞ぐ円弧形状の帯状のフィルタ１６が収容される。フィルタ１６は、溝部１５に収まる帯状の弾性材料から構成され、溝部１５内に収める前の状態において、スプール穴部を構成する壁面の曲率より全体が緩やかな曲率の円弧形状であることが望ましいが、あえて円弧形状ではなく、直線平面形状でもよい。因みに、溝部への収納前から円弧状である場合は、溝部１５への収納状態において、フィルタが溝部１５に密着し、浮きにくいという効果がある。
【００２１】
フィルタ１６は自身の円弧形状の内周側に向かって弾性変形した状態で溝部１５に収容される。尚、フィルタ１６は溝部１５内に収容された状態でフィルタ１６の円弧の中心角が１８０°を超える様に、円弧形状の外周面側は、溝部１５の底壁部に弾性変形に基づく戻り力で接触する。フィルタ１６の両端部を除くほぼ全面には、コンタミの通過を阻止し、油を通過させる小孔１７が設けられる。
【００２２】
フィルタ１６は、その円弧形状の両端部に挟まれて開いている部分が、スプール穴部５の内周面における上部ボディ２の上面側に配置される。フィルタ１６の両端には、溝部１５の底壁部に向かって突出した凸部１８が設けられる。溝部１５の底壁部には凹所１９が設けられ、フィルタ１６の凸部１８が凹所１９に嵌め込まれる。溝部１５の深さ寸法はフィルタ１６の肉厚寸法よりも大きく、フィルタ１６の内周面の位置がスプール穴部５の内周面の位置より径方向外側である。
【００２３】
［１−２．作用］
本実施形態のコントロールバルブ装置において、フィルタ１６を溝部１５内に装着するには、スプール穴部５内に弁体７を挿入する前に、スプール穴部５の軸方向一端側の開口部から、弁体７を挿入する。この場合、弾性材料で構成されている円弧状のフィルタ１６を、円弧の径が小さくなるように巻き込んで、治具によって押さえることで、スプール穴部５の直径よりも小さくして、スプール穴部５内に挿入する。
【００２４】
この時、溝部１５に設けた凹所１９の位置とフィルタ１６の凸部１８の位置が合致するように、フィルタ１６の両端の離れた部分を図中上方に向けて、フィルタ１６をスプール穴部５内に挿入する。
【００２５】
フィルタ１６が溝部１５に達した後は、治具による押さえを外すと、フィルタ１６のその弾力性によって周方向外側に広がり、溝部１５内に収容される。この場合、フィルタ１６は溝部１５内に収容された状態において中心角が１８０°以上の円弧状であることから、フィルタ１６の円弧形状の外周面側が溝部１５の底壁部に弾性変形に基づく戻り力で押し付けられ、溝部１５から外れることがない。同時に、フィルタ１６の両端に設けられた凸部１８が溝部１５の底壁部の凹所１９に引っ掛かり周り止めとなるので、フィルタ１６が溝部１５の内部で周方向に移動することがない。
【００２６】
フィルタ１６の取り付けが完了した後は、スプール穴部５内に弁体７およびコイルばね１１を挿入し、スプール穴部５の軸方向一端側の開口部をキャップ１２によって封鎖することで、弁体７の組み込みを完了する。
【００２７】
このようにして構成された本実施形態の装置では、バルブボディの油路４内部に存在するコンタミは、ポート口部６に設けられたフィルタ１６によって阻止され、スプール穴部５内に入り込むことがない。溝部１５内に収容したフィルタ１６を取り外す場合は、上部ボディ２の底面に開口する油路４から治具を差し込んで、溝部１５からフィルタ１６を浮き上がらせた状態で、スプール穴部５の軸方向一端側の開口部から軸を挿入してフィルタ１６を摘み、バルブボディ外部に取り出す。
【００２８】
［１−３．効果］
本実施形態によれば、次のような効果が発揮される。
（１）スプール穴部５を構成する上部ボディ２の壁面の周方向に沿って設けられた溝部１５と、溝部１５内に開口して油路４と繋がったポート口部６と、溝部１５内に収容されて溝部１５内に位置するポート口部６を塞ぐ円弧形状の帯状のフィルタ１６とを備えたことにより、弁体７の近くにフィルタ１６を配置できるので、製造工程でバルブボディ内の油路４に残ったコンタミを弁体７手前で捕集することが可能となる。万が一、製造、組み立て時に油路４内に残ってしまったコンタミですら、確実に弁体７の手前で確保できる。
【００２９】
（２）溝部１５と帯状のフィルタ１６の組み合わせにより、フィルタ１６の位置決めが確実に行われ、溝部１５の底壁部に位置する油路４のポート口部６からフィルタ１６がずれることがない。
【００３０】
（３）フィルタ１６は、溝部１５内に収容された状態において、円弧形状の中心角が１８０°を越える弾性材料から構成され、フィルタ１６の円弧形状の内周側に向かって弾性変形した状態で溝部１５に収容されているので、フィルタ１６がその弾力性により溝部１５の底面に密着し、フィルタ１６とポート口部６の間に隙間がなく、ポート口部６を確実に塞ぐ。
【００３１】
（４）溝部１５の底壁部に凹所１９を備え、フィルタ１６は、溝部１５の底壁部に向かって突出した凸部１８を備え、凸部１８が凹所１９に嵌め込まれるので、フィルタ１６の位置決めが確実に行える。また、バルブボディにスプール穴部５や溝部１５を設ける際に、溝部１５の凹所１９を同時に加工でき、製造が簡単である。
【００３２】
（５）溝部１５の深さ寸法がフィルタ１６の肉厚寸法よりも大きく、フィルタ１６の内周面の位置がスプール穴部５の内周面の位置より径方向外側であるため、フィルタ１６が溝部１５の縁から突出することがなく、フィルタ１６が弁体７の移動の支障にならない。
【００３３】
（６）フィルタ１６の円弧形状の両端部に挟まれて開いている部分が、スプール穴部５の内周面における上部ボディ２の上面側に配置され。そのため、フィルタ１６の両端部を凹所１９や凸部１８で規制して回り止めとする場合、回り止めが上部ボディ２の上面側に有ると、下面側に貫通した油路４からスプール穴部５内に向かって工具を挿入し、工具の先端でスプール穴部５の上面側に凹所１９や凸部１８を簡単に設けることができる。
【００３４】
［２．他の実施形態］
本発明は、以上の実施形態に限定されるものではない。以上の実施形態は例として提示したものであって、その他の様々な形態で実施されることが可能である。発明の範囲を逸脱しない範囲で、種々の省略や置き換え、変更を行うことができる。これら実施形態やその変形は、発明の範囲、要旨、その均等の範囲に含まれる。以下、その一例を示す。
【００３５】
（１）図４に示すように、フィルタ１６の両端に設けた凸部１８の一方のみが、溝部の底壁部に設けた凹所１９を構成する一方の壁部に引っ掛かる構造でも良い。帯状フィルタ１６に設けた小孔１７の面積が広く、ポート口部６を覆うのに十分な場合、フィルタ１６の両端の凸部１８が凹所１９のどちら側の壁部に引っ掛かっていても、ポート口部６がフィルタ１６によって覆われるからである。
【００３６】
（２）図５に示すように、溝部１５の底壁部に、スプール穴部５の径方向内側に突出した凸部２０を備え、凸部２０がフィルタ１６に引っ掛かっているものでも良い。この場合、図５のように円周方向に延びる凸部２０でも良いし、ピン状の凸部２０でも良い。また、フィルタ１６の凸部Ｃ２０が引っかかる部分は、フィルタ１６の縁や、パンチング加工と同時に凸部２０をひっかける穴をあけておいてもよい。その場合、フィルタ１６に設ける回り止めの構成が簡単という利点がある。
【００３７】
（３）図６に示すように、円弧状のフィルタ１６として、円弧が１８０°以下のものでも良い。その場合、フィルタ１６が溝部１５から浮き上がるのを防止するため、溝部１５にフィルタ１６の両端を抑える一対の凸部２０を設ける。このようにすると、スプール穴部５の直径よりも小さな部材でフィルタ１６を作製できるので、スプール穴部５の軸方向一端側から溝部１５内へのフィルタ１６の挿入が簡単である。
【００３８】
（４）フィルタ１６の周り止めとなる凸部２０や凹所１９は、溝部１５の底壁部に限らず、溝部１５を構成する上部ボディ２の内壁面に設けることもできる。その場合、凸部２０や凹所１９が引っ掛かるフィルタ１６側の凸部１８はフィルタ１６の側縁に設けられる。
【００３９】
（５）フィルタ１６が１８０°以上の円弧状であり、その弾性力により強く溝部１５の底壁部に押し付けられる場合には、特に周り止めを設ける必要はない。フィルタ１６と溝部１５の底壁部が摩擦力によって移動が阻止されるからである。この場合、フィルタ１６や溝部１５に凸部１８や凹所１９を設ける必要がなく、装置の構成が単純化する。
【符号の説明】
【００４０】
１…下部ボディ、２…上部ボディ、３…セパレートプレート、４…油路、５…スプール穴部、６…ポート口部、７…弁体、８…凹部、９…凸部、１０…凹部、１１…コイルばね、１２…キャップ、１３…ソレノイド、１４…プッシュロッド、１５…溝部、１６…フィルタ、１７…小孔、１８…凸部、１９…凹所、２０…凸部。
【図１】
2018054009.tif 000003
【図２】
2018054009.tif 000004
【図３】
2018054009.tif 000005
【図４】
2018054009.tif 000006
【図５】
2018054009.tif 000007
【図６】
2018054009.tif 000008